(57)【特許請求の範囲】
【請求項１】
入力された第１の信号をＩＰ（ｉｎｔｅｒｎｅｔ  ｐｒｏｔｏｃｏｌ）パケット信号に変換して信号変換手段及び外部ネットワークへ出力するパケット変換手段と、
前記ＩＰパケット信号を、前記ＩＰパケット信号の情報を含む第２の信号に変換して出力する前記信号変換手段と、
前記第２の信号から前記ＩＰパケット信号を復元し、復元された前記ＩＰパケット信号を出力するパケット復元手段と、
入力信号を前記第１の信号として前記パケット変換手段に転送するとともに、前記信号変換手段から入力された前記第２の信号を前記パケット復元手段に転送する回線交換手段と、
を備える交換機。
【請求項２】
前記入力信号及び第１の信号はアナログ電話回線で伝送されるアナログ電話信号であり、
前記信号変換手段は前記ＩＰパケット信号を前記アナログ電話回線で伝送可能な信号に変換するモデムであり、
前記回線交換手段は前記アナログ電話回線の交換回路である、
請求項１に記載された交換機。
【請求項３】
前記モデムは、ＤＳＬ（ｄｉｇｉｔａｌ  ｓｕｂｓｃｒｉｂｅｒ  ｌｉｎｅ）モデムである、請求項２に記載された交換機。
【請求項４】
前記第１の信号はＩＳＤＮ（ｉｎｔｅｇｒａｔｅｄ  ｓｅｒｖｉｃｅｓ  ｄｉｇｉｔａｌ  ｎｅｔｗｏｒｋ）回線で伝送される信号であり、
前記信号変換手段は前記ＩＰパケット信号を前記ＩＳＤＮ回線で伝送可能な信号に変換するＴＡ（ターミナルアダプタ）であり、
前記回線交換手段は前記ＩＳＤＮ回線の交換回路である、
請求項１に記載された交換機。
【請求項５】
回線交換手段によって、入力信号を第１の信号としてパケット変換手段に転送し、
前記パケット変換手段によって、前記第１の信号をＩＰ（ｉｎｔｅｒｎｅｔ  ｐｒｏｔｏｃｏｌ）パケット信号に変換して信号変換手段及び外部ネットワークへ出力し、
前記信号変換手段によって、前記ＩＰパケット信号を前記ＩＰパケット信号の情報を含む第２の信号に変換して出力し、
前記回線交換手段によって、前記第２の信号をパケット復元手段に転送し、
前記パケット復元手段によって、前記第２の信号から前記ＩＰパケット信号を復元し、
復元された前記ＩＰパケット信号を出力する、
交換機の制御方法。
【発明の詳細な説明】
【技術分野】
【０００１】
本発明は信号変換装置及びその信号変換装置を備える交換機並びに信号変換方法に関する。
【背景技術】
【０００２】
ＩＰ（ｉｎｔｅｒｎｅｔ  ｐｒｏｔｏｃｏｌ）プロトコルを用いた通信機器の普及に伴い、電話の音声をＩＰ回線によって伝送するＶｏＩＰ（ｖｏｉｃｅ  ｏｖｅｒ  ＩＰ）システムが普及している。図６は、本発明に関連するＶｏＩＰシステム４００の構成を示す図である。図６に示すＶｏＩＰシステム４００においては、電話機４０１、４０２がそれぞれ接続された交換機４０３及び４０４が、ＶｏＩＰネットワーク４０５を介して接続されている。ＶｏＩＰネットワーク４０５は、例えばＬＡＮ（ｌｏｃａｌ  ａｒｅａ  ｎｅｔｗｏｒｋ）４０６、４０７及びＷＡＮ（ｗｉｄｅ  ａｒｅａ  ｎｅｔｗｏｒｋ）４０８を含んだＩＰプロトコルによるネットワークである。ＶｏＩＰネットワーク４０５は、インターネットとは独立したＩＰ専用線で構成される場合もある。
【０００３】
交換機４０３及び４０４は、それぞれ音声ＩＰ化モジュール４０９及び４１０を備える。音声ＩＰ化モジュール４０９及び４１０は、それぞれ交換機４０３及び４０４において、音声信号をＩＰパケット化してＶｏＩＰネットワーク４０５に出力する。また、音声ＩＰ化モジュール４０９及び４１０は、ＶｏＩＰネットワーク４０５から受信したＩＰパケットを交換機４０３または４０４で処理可能な信号形態に変換する。すなわち、音声ＩＰ化モジュール４０９及び４１０は、ＶｏＩＰネットワーク４０５に対する交換機４０３または４０４のＮＩＣ（ｎｅｔｗｏｒｋ  ｉｎｔｅｒｆａｃｅ  ｃａｒｄ）である。
【０００４】
ＩＰパケットを用いたシステムにおいて、ＶｏＩＰネットワーク４０５上の通信状態の解析のためにＩＰパケットを収集するための、ネットワーク機器のポートミラーリング機能が知られている。ポートミラーリング機能は、スイッチングハブやルータなどのネットワーク機器において、ネットワークを通過するパケットを監視する装置（パケットモニタリング装置）が接続されたポートにコピーする機能である。パケットモニタリング装置は、コピーされたパケットをネットワーク機器の当該ポートから受信して解析する。
【０００５】
本発明に関連して、特許文献１は、分散して配置された音声モニタリングの対象となる機器のパケットを、ＩＰルーティングを利用して指定された地点で監視するための構成を開示している。また、特許文献２は、ポートミラーリング機能を備えた構内交換装置を開示している。
【先行技術文献】
【特許文献】
【０００６】
【特許文献１】特開２００４−２４８１９２号公報
【特許文献２】特開２０１０−１８３２３５号公報
【発明の概要】
【発明が解決しようとする課題】
【０００７】
特許文献１に記載されているように、一般的には、ＩＰパケットの監視のためにはＩＰネットワークの内部の機器にパケットモニタリング装置を接続することが必要となる。しかしながら、近年、ＩＰネットワークの情報セキュリティの確保の観点から、ＩＰネットワークの内部に通常使用しないネットワーク機器を接続することが制限される場合がある。特に、高いセキュリティを確保するためにＩＰ専用線が用いられている場合には、ＩＰ専用線ネットワークの内部の機器へのパケットモニタリング装置の接続が制限される場合が多い。
【０００８】
一方、パケットモニタリング装置の接続が認められる場合であっても、ＩＰネットワークを構成するネットワーク機器はポートミラーリング機能を必ずしも備えているわけではない。また、ＶｏＩＰネットワークには多数のネットワーク機器が接続されることにより、ポートミラーリング機能によりコピーされたパケットを外部のパケットモニタリング装置へ出力するためのポートの空きがネットワーク機器にない場合もある。このような場合にパケットモニタリング装置を接続するためには、ポートミラーリング機能を備えたネットワーク機器を回線上に新たに接続する必要がある。しかしながら、ネットワーク機器に空きポートがない状態でポートミラーリング機能を備えたネットワーク機器を接続するためには、使用中のＩＰ回線を一時的に切断する必要があり、その際にパケット通信が一旦中断されてしまうという課題がある。
【０００９】
このため、ＶｏＩＰシステムにおいては、使用中のＩＰ回線を切断することなく、また音声データが通過するＩＰネットワーク内の機器に外部機器を直接接続することなく音声ＩＰパケットのモニタリングを可能とする技術が必要とされている。
【００１０】
（発明の目的）
本発明の目的は、ＩＰネットワークにおいて伝送されるＩＰパケットを、回線を切断することなく、かつＩＰネットワーク内部に機器を接続することなく監視することを可能とするための技術を提供することにある。
【課題を解決するための手段】
【００１１】
本発明の信号変換装置は、入力された第１の信号をパケット信号に変換して出力する第１の信号変換手段と、パケット信号を、パケット信号の情報を含む第２の信号に変換して出力する第２の信号変換手段と、を備える。
【００１２】
本発明の信号変換方法は、入力された第１の信号をパケット信号に変換して出力し、パケット信号を、パケット信号の情報を含む第２の信号に変換して出力する。
【発明の効果】
【００１３】
本発明は、回線を切断することなく、かつパケットネットワーク内部に機器を接続することなくパケットネットワークを伝送されるパケットを監視することを可能とする。
【図面の簡単な説明】
【００１４】
【図１】本発明の第１の実施形態のＶｏＩＰシステムの構成を示す図である。
【図２】第１の実施形態のＶｏＩＰシステムの動作フローを示す図である。
【図３】第１の実施形態の変形例で用いられるディジタル交換機の構成を示す図である。
【図４】本発明の第２の実施形態のＶｏＩＰシステムの構成を示す図である。
【図５】本発明の第３の実施形態の信号変換装置の構成を示す図である。
【図６】本発明に関連するＶｏＩＰシステムの構成を示す図である。
【発明を実施するための形態】
【００１５】
次に、発明を実施するための最良の形態について図面を参照して詳細に説明する。図１は、本発明の第１の実施形態のＶｏＩＰシステム１の構成を示す図である。ＶｏＩＰシステム１は、アナログ交換機１００及び１１０、ＶｏＩＰネットワーク２００、パケットモニタリング装置２１０及びコンソール装置２２０を備える。ＶｏＩＰシステム１は、電話機１６１及び１６２との通話を、ＶｏＩＰネットワーク２００を用いて実現するシステムである。
【００１６】
アナログ交換機１００はアナログ電話回線を収容し、音声ＩＰ化モジュール１０１、ＮＩＣ１０２及び回線交換部１０３を備える。回線交換部１０３は、アナログ交換機１００が収容する回線同士を接続する。アナログ交換機１００は、音声ＩＰ化モジュール１０１及びＮＩＣ１０２のそれぞれに接続された回線をも収容する。
【００１７】
音声ＩＰ化モジュール１０１は、アナログ交換機１００とＶｏＩＰネットワーク２００とを接続するインタフェースである。音声ＩＰ化モジュール１０１は、パケット変換部１５１及びモデム１０４を備える。パケット変換部１５１は、回線交換部１０３が出力するアナログ電話信号をＩＰパケット化してＶｏＩＰネットワーク２００に出力する。また、パケット変換部１５１は、ＶｏＩＰネットワーク２００から着信したＩＰパケット化された電話信号をアナログ電話信号に変換して回線交換部１０３に出力する。なお、アナログ交換機１００は、アナログ電話回線の発呼及び着呼を処理して回線交換部１０３を制御する機能をも備えているが、電話交換機における発着呼の機能は周知であるので説明は省略する。
【００１８】
モデム１０４は、音声ＩＰ化モジュール１０１がＶｏＩＰネットワーク２００との間で送受信するＩＰパケットを、当該ＩＰパケットを回線交換部１０３のインタフェースであるアナログ信号に変換して出力する。モデム１０４の入力はパケット変換部１５１とＶｏＩＰネットワーク２００との間から分岐されている。従って、モデム１０４には音声ＩＰ化モジュール１０１がＶｏＩＰネットワーク２００との間で送受信するＩＰパケットがそのままコピーされて入力される。モデム１０４は、たとえばＤＳＬ（ｄｉｇｉｔａｌ  ｓｕｂｓｃｒｉｂｅｒ  ｌｉｎｅ）モデムである。しかし、モデム１０４の仕様はこれには限定されない。
【００１９】
音声ＩＰ化モジュール１０１は、アナログ交換機１００に接続されたコンソール装置２２０によって操作されてもよい。コンソール装置２２０は、ネットワーク管理者の操作によりアナログ交換機１００の各部を制御する。
【００２０】
一方、アナログ交換機１１０は、音声ＩＰ化モジュール１１１及び回線交換部１１２を備える。また、アナログ交換機１１０は電話機１６２を含む電話回線を収容する。音声ＩＰ化モジュール１１１は、アナログ交換機１１０とＶｏＩＰネットワーク２００とを接続するインタフェースである。音声ＩＰ化モジュール１１１は、回線交換部１１２が出力するアナログ電話信号をＩＰパケット化して、ＶｏＩＰネットワーク２００に出力する。また、音声ＩＰ化モジュール１１１は、ＶｏＩＰネットワーク２００から着信したＩＰパケット化された電話信号を、アナログ電話信号に変換して回線交換部１１２に出力する。回線交換部１１２の機能は、アナログ交換機１００が備える回線交換部１０３と同様である。
【００２１】
ＶｏＩＰネットワーク２００は、音声ＩＰ化モジュール１０１と１１１とを接続するＩＰネットワークである。
【００２２】
ＮＩＣ１０２は、回線交換部１０３とパケットモニタリング装置２１０との間に配置される。すなわち、ＮＩＣ１０２はＶｏＩＰネットワーク２００と直接接続されていない。ＮＩＣ１０２は、回線交換部１０３から受信したアナログ電話信号を復調するモデム１０５を備える。モデム１０５は、音声ＩＰ化モジュール１０１のモデム１０４と同様の仕様を備えるモデムである。モデム１０５は、モデム１０４で変調されたＩＰパケットを復調して、パケットモニタリング装置２１０へ出力する。モデム１０５によって復調されたＩＰパケットは、モデム１０４で変調される前のＩＰパケットと同一のものである。
【００２３】
ＮＩＣ１０２に接続されたパケットモニタリング装置２１０は、入力されるＩＰパケットを分析し、ＩＰパケットの内容を記録するとともに画面に表示する機能を備える。パケットモニタリング装置２１０は、例えばＩＰネットワーク上のＩＰパケットを監視して障害を解析する際に使用される。
【００２４】
なお、図１では音声ＩＰ化モジュール１０１及びＮＩＣ１０２はそれぞれ１台のみ記載されているが、アナログ交換機１００に接続される音声ＩＰ化モジュール１０１及びＮＩＣ１０２の台数は制限されない。例えば、ネットワーク管理者は、複数の音声ＩＰ化モジュール１０１及びＮＩＣ１０２からそれぞれ特定の１台をコンソール装置２２０によって選択してもよい。そして、回線交換部１０３は、選択された音声ＩＰ化モジュールから選択されたＮＩＣへＩＰパケットが転送されるように回線を接続してもよい。また、音声ＩＰ化モジュール１０１は、モデム１０４経由でＮＩＣ１０２あるいはパケットモニタリング装置２１０へのアナログ電話回線の発呼処理（ダイヤルアップ）を行うことで、音声ＩＰ化モジュール１０１とパケットモニタリング装置２１０との間の回線を接続してもよい。
【００２５】
電話回線の発呼処理により回線交換部１０３を動作させることで、パケットの監視の開始及び終了時刻や監視に使用した電話回線の記録を残すことができる。その結果、不正に接続された監視装置の有無を記録に基づいて調査することができる。
【００２６】
これらの手段はそれぞれ次のように動作する。なお、以下で説明する動作フローは例であり、それ以外の動作を実施形態から除外するものではない。
【００２７】
アナログ交換機１００とアナログ交換機１１０との間でＶｏＩＰネットワーク２００を利用した音声通話が行われる際には、音声ＩＰ化モジュール１０１と音声ＩＰ化モジュール１１１との間で、ＶｏＩＰネットワーク２００を介してＩＰ化された音声パケットが送受信される。
【００２８】
コンソール装置２２０は、音声ＩＰ化モジュール１０１に対して、コピーされたＩＰパケットをモデム１０４で変調するとともに変調された信号が回線交換部１０３を介してＮＩＣ１０２に出力されるように設定情報を生成する。ＮＩＣ１０２は、受信した信号をモデム１０５によって復調し、モデム１０４で変調される前のＩＰパケットを再生する。
【００２９】
これにより、ＮＩＣ１０２は、音声ＩＰ化モジュール１０１がＶｏＩＰネットワーク２００との間で送受信するＩＰパケットをパケットモニタリング装置２１０へ出力することが可能となる。その結果、パケットモニタリング装置２１０を用いて、ＶｏＩＰネットワーク２００と音声ＩＰ化モジュール１０１との間で送受信されるＩＰパケットを監視することが可能となる。以下に、本実施形態の動作フローについてさらに詳細に説明する。
【００３０】
図２は、第１の実施形態のＶｏＩＰシステム１の動作フローを示す図である。まず、ネットワーク管理者は、コンソール装置２２０において、ＩＰパケットをモニタする音声ＩＰ化モジュール１０１及びＩＰパケットの転送先となるＮＩＣ１０２を指定する。コンソール装置２２０は、ネットワーク管理者によって指定された音声ＩＰ化モジュール１０１を通過するＩＰパケットがＮＩＣ１０２へ転送されるように設定情報を作成する（図２のステップＳ１）。設定情報は、コンソール装置２２０からアナログ交換機１００の各部に送信される（Ｓ２）。
【００３１】
音声ＩＰ化モジュール１０１は、コンソール装置２２０から受信した設定情報に基づいて、ＶｏＩＰネットワーク２００との間で送受信されているＩＰパケットをコピーしてモデム１０４で変調する（Ｓ３）。そして、音声ＩＰ化モジュール１０１は、モデム１０４で変調されたＩＰパケットを回線交換部１０３へ出力する（Ｓ４）。
【００３２】
回線交換部１０３は、コンソール装置２２０から受信した設定情報に基づいて、音声ＩＰ化モジュール１０１とＮＩＣ１０２とを接続する（Ｓ５）。その結果、モデム１０４で変調された変調信号が、回線交換部１０３を経由してＮＩＣ１０２で受信される（Ｓ６）。なお、回線交換部１０３における音声ＩＰ化モジュール１０１とＮＩＣ１０２との接続（Ｓ５）は、音声ＩＰ化モジュール１０１が変調されたＩＰパケットを回線交換部１０３へ出力する際（Ｓ４）の発呼処理によって行われてもよい。
【００３３】
ＮＩＣ１０２は、受信した変調信号を復調してＩＰパケットを再生し（Ｓ７）、パケットモニタリング装置２１０が接続されているポートへＩＰパケットを出力する（Ｓ８）。
【００３４】
パケットモニタリング装置２１０は、再生されたＩＰパケットをＮＩＣ１０２から受信し、解析する（Ｓ９）。このようにして、音声ＩＰ化モジュール１０１において送受信されているＩＰパケットを、パケットモニタリング装置２１０で監視することが可能になる。
【００３５】
以上説明したように、第１の実施形態のＶｏＩＰシステム１においては、音声ＩＰ化モジュール１０１は、ＶｏＩＰネットワーク２００で伝送されるＩＰパケットをコピーして変調し、ＮＩＣ１０２に転送する。ＮＩＣ１０２は、転送された信号を復調してＩＰパケットを再生する。ここで、パケットモニタリング装置２１０はＶｏＩＰネットワーク２００の外部に接続されており、ＶｏＩＰネットワーク２００とは直接接続されていない。
【００３６】
このため、ＶｏＩＰシステム１においては、パケットモニタリング装置２１０を設置するために、音声ＩＰ化モジュール１０１と１１１との間で伝送されるＩＰパケットの伝送路をＶｏＩＰネットワーク２００の内部で切断する必要がない。また、ＩＰパケットを監視するためにＶｏＩＰネットワーク２００を構成する機器にパケットモニタリング装置を接続するためのポートを確保しておく必要もない。
【００３７】
すなわち、第１の実施形態のＶｏＩＰシステムは、回線を切断することなく、かつパケットネットワーク内部に機器を接続することなくパケットネットワークを伝送されるパケットを監視することを可能とする。
【００３８】
そして、ＶｏＩＰシステム１においては、ＶｏＩＰネットワーク２００に直接パケットモニタリング装置が接続されないので、ＶｏＩＰネットワーク２００に他の機器が接続されることによるネットワークセキュリティの低下の懸念も生じない。
【００３９】
なお、第１の実施形態のＶｏＩＰシステム１では、モデム１０４で変調したＩＰパケットを、アナログ交換機１００の回線交換機能を用いて回線交換部１０３を介してＮＩＣ１０２に転送している。従って、ＮＩＣ１０２及びパケットモニタリング装置２１０を音声ＩＰ化モジュール１０１から接続可能な他の交換機の配下に配置しても、モデム１０４において変調されたパケットを当該ＮＩＣ及びパケットモニタリング装置に転送することができる。
【００４０】
さらに、音声ＩＰ化モジュール１０１は、パケット変換部１５１で生成したＩＰパケットを他の形式の信号に変換することなく単純にコピーしてアナログ交換機１００の外部に出力する機能を備えていてもよい。ＩＰインタフェースを備えるパケットモニタリング装置がアナログ交換機１００の近傍で利用可能である場合には、コピーされたＩＰパケットをそのまま用いてパケットモニタリング装置による監視が可能である。
【００４１】
（第１の実施形態の変形例）
ここで、第１の実施形態の変形例について説明する。図３は、第１の実施形態におけるアナログ交換機１００に代えて用いられるディジタル交換機１２０の構成を示す図である。図３に示すディジタル交換機１２０は、音声ＩＰ化モジュール１２１、ＮＩＣ１２２及びディジタル回線交換部１２３を備える。
【００４２】
音声ＩＰ化モジュール１２１は、ディジタル交換機１２０のＶｏＩＰネットワーク２００とのインタフェースである。ディジタル回線交換部１２３との間で入出力されるディジタル音声信号とＶｏＩＰネットワーク２００との間で入出力されるＩＰパケットとを相互に変換する。
【００４３】
音声ＩＰ化モジュール１２１は、パケット変換部１２６を備える。パケット変換部１２６は、ディジタル回線交換部１２３が出力するディジタル音声信号をＩＰパケット化してＶｏＩＰネットワーク２００に出力する。さらに、音声ＩＰ化モジュール１２１及びＮＩＣ１２２は、ＴＡ（ターミナルアダプタ）１２４及び１２５を備える。ＴＡ１２４及び１２５は、ＩＰパケットをカプセリングしてディジタル回線交換部１２３で処理可能な信号に変換する。ＴＡ１２４及び１２５は、ＤＳＵ（ｄｉｇｉｔａｓ  ｓｅｒｖｉｃｅ  ｕｎｉｔ）の機能をさらに備えていてもよい。
【００４４】
ディジタル回線交換部１２３は、ディジタル回線の交換機能を備える。例えば、ディジタル回線交換部１２３は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線の交換機能を備えている。そして、ＴＡ１２４は、ＶｏＩＰネットワーク２００との間で送受信されるＩＰパケットをコピーしてＩＳＤＮ回線で伝送可能な形態に変換する。ＮＩＣ１２２が備えるＴＡ１２５は、ＴＡ１２４で生成されたＩＳＤＮ信号から、ＩＰパケットを復元する。復元されたＩＰパケットは、ＮＩＣ１２２と接続されたパケットモニタリング装置２１０に入力される。
【００４５】
すなわち、ディジタル回線交換部１２３がＩＳＤＮ交換機の機能を備える構成においては、パケット変換部１２６に入出力されるＩＰパケットは、ＴＡ１２４によってＩＳＤＮ信号に変換される。ＩＳＤＮ信号に変換されたＩＰパケットは、回線交換部１２３を介してＮＩＣ１２２で受信される。そして、ＮＩＣ１２２が備えるＴＡ１２５は、受信されたＩＳＤＮ信号からＩＰパケットを復元する。ここで、ディジタル回線交換部１２３は、ＩＳＤＮ信号のダイヤルアップ処理によって、ＴＡ１２４とＴＡ１２５とを接続する。
【００４６】
このような構成を備えたディジタル交換機１２０を図１で説明したＶｏＩＰシステムに適用しても、第１の実施形態と同様の効果が得られることは明らかである。すなわち、ディジタル交換機１２０を用いたＶｏＩＰシステムも、回線を切断することなく、かつＩＰネットワーク内部に機器を接続することなくＩＰネットワークを伝送されるＩＰパケットを監視することを可能とする。そして、ディジタル交換機１２０を用いたＶｏＩＰシステムは、ＩＰパケットの監視を行う際に、ＶｏＩＰネットワーク２００に他の機器が接続されることによるネットワークセキュリティの低下の懸念も生じない。
【００４７】
（第２の実施形態）
次に、本発明の第２の実施形態について図面を参照して詳細に説明する。図４は、本発明の第２の実施形態のＶｏＩＰシステムの構成を示す図である。図４を参照すると、第２の実施形態のＶｏＩＰシステム２は、ＶｏＩＰ通信が可能な端末３００と、パケットモニタリング装置３１０と、ＶｏＩＰネットワーク３２０と、端末３３０とを備える。
【００４８】
端末３００は、音声ＩＰ化モジュール３０１と、端末機能部３０２とを備える。端末機能部３０２は、電話機能等の端末３００の基本的な機能を実現する。音声ＩＰ化モジュール３０１は、端末機能部３０２とＶｏＩＰネットワーク３２０とのインタフェースである。端末３３０は、端末３００がＶｏＩＰネットワーク３２０を介して通信を行う相手先の端末である。
【００４９】
端末機能部３０２は、アナログ電話機の機能を備えている。端末機能部３０２と、アナログ電話信号をＩＰパケットに変換する音声ＩＰ化モジュール３０１とを組み合わせることで、端末３００をＩＰ電話機として構成できる。
【００５０】
音声ＩＰ化モジュール３０１は、端末機能部３０２をＶｏＩＰネットワーク３２０と接続させるためのインタフェースモジュールである。音声ＩＰ化モジュール３０１は、パケット変換部３０３及び信号変換部３０４を備えている。パケット変換部３０３は、端末機能部３０２が出力するアナログ電話信号をＩＰパケット化して、ＶｏＩＰネットワーク３２０に出力する。また、パケット変換部３０３は、ＶｏＩＰネットワーク３２０から着信したＩＰパケット化された電話信号を、アナログ電話信号に変換して端末機能部３０２に出力する。
【００５１】
信号変換部３０４の入力はパケット変換部３０３とＶｏＩＰネットワーク３２０との間から分岐されている。従って、信号変換部３０４には音声ＩＰ化モジュール３０１がＶｏＩＰネットワーク３２０との間で送受信されるＩＰパケットがそのままコピーされて入力される。信号変換部３０４は、音声ＩＰ化モジュール３０１が送受信するＩＰパケットをＩＰパケットとは異なる他の形態の信号に変換して、ＶｏＩＰネットワーク３２０とのインタフェースとは別のインタフェースから出力する。第２の実施形態では、信号変換部３０４は、コピーしたＩＰパケットをシリアルインタフェースの信号形式に変換する。シリアルインタフェースの信号形式に変換されたＩＰパケットは、ＶｏＩＰネットワーク３２０とのインタフェースとは異なるインタフェースからパケットモニタリング装置３１０へ出力される。
【００５２】
パケットモニタリング装置３１０は、シリアルインタフェース信号に変換されたＩＰパケットを音声ＩＰ化モジュール３０１から受信する。パケットモニタリング装置３１０は、受信したシリアルインタフェース信号からＩＰパケットを復元して分析する。端末３００は、このような構成を備えることにより、端末３００が音声ＩＰ化モジュール３０１にて送受信しているパケットをモニタリングすることを可能とする。
【００５３】
第２の実施形態のＶｏＩＰシステム２において、パケットモニタリング装置３１０は、ＶｏＩＰネットワーク３２０の外部に接続されている。このため、ＩＰパケットの監視の際に端末３００と端末３３０との間の回線を切断する必要はない。そして、第２の実施形態のＶｏＩＰシステム２においては、ＩＰパケットを監視するために、ＶｏＩＰネットワーク３２０を構成する機器にパケットモニタリング装置を接続するためのポートを設ける必要もない。さらに、第２の実施形態のＶｏＩＰシステムにおいては、ＩＰパケットを監視する際にＶｏＩＰネットワーク３２０に直接パケットモニタリング装置３１０が接続されないので、ＶｏＩＰネットワーク３２０に他の機器が接続されることによるセキュリティリスクを低減することができる。
【００５４】
そして、音声ＩＰ化モジュール３０１は、信号変換部３０４を備えることにより、ＩＰパケットを他の信号形式に変換して出力できる。信号変換部３０４が変換可能な信号形式を、変換された信号が入力される装置（例えばパケットモニタリング装置）が処理可能な信号形式と合わせることで、多様なインタフェースの装置にＩＰパケットを転送することが可能となる。
【００５５】
すなわち、第２の実施形態のＶｏＩＰシステムも、第１の実施形態と同様に、回線を切断することなく、かつパケットネットワーク内部に機器を接続することなくパケットネットワークを伝送されるパケットを監視することを可能とする。
【００５６】
第２の実施形態においては、コピーされたＩＰパケットを信号変換部３０４がシリアルインタフェース信号に変換する構成について説明した。しかし、信号変換部３０４においてＩＰパケットが変換される信号の形式はシリアルインタフェース信号には限定されない。例えば、音声ＩＰ化モジュール３０１とＶｏＩＰネットワーク３２０との間は有線接続とし、信号変換部３０４及びパケットモニタリング装置３１０は無線信号の送受信機能をさらに備えていてもよい。無線信号の送受信機能によって、信号変換部３０４はコピーしたＩＰパケットを無線信号としてパケットモニタリング装置３１０に送信することができる。
【００５７】
なお、音声ＩＰ化モジュール３０１は、パケット変換部３０３で生成したＩＰパケットを他の形式の信号に変換することなくコピーして端末３００の外部に出力する機能を備えていてもよい。ＩＰインタフェースを備えるパケットモニタリング装置が端末３００の近傍で利用可能である場合には、コピーされたＩＰパケットをそのまま用いてパケットモニタリング装置で監視することができる。
【００５８】
また、第２の実施形態においては、端末３００はＩＰ電話機の機能を備えているとした。しかし、端末３００の機能はＩＰ電話機に限定されない。例えば、端末３００はＩＰ音声ゲートウェイにも適用できる。ＩＰ音声ゲートウェイは、ＶｏＩＰシステムにおいて、電話ネットワークとＩＰネットワークとを中継する装置である。ＩＰ音声ゲートウェイが上述の音声ＩＰ化モジュール３０１を備えるように構成することで、ＶｏＩＰネットワークと電話ネットワークとの間で送受信されるＩＰパケットを、ＩＰ音声ゲートウェイにおいて監視することができる。
【００５９】
（第３の実施形態）
続いて、本発明の第３の実施形態について説明する。図５は、本発明の第３の実施形態の信号変換装置５００の構成を示す図である。信号変換装置５００は、第１の信号変換部５０１と、第２の信号変換部５０２とを備える。第１の信号変換部は、入力された第１の信号をパケット信号に変換して出力する。第２の信号変換部は、第１の信号変換部から出力されたパケット信号を、第２の信号に変換して出力する。ここで、第２の信号変換部で変換された信号は、第１の信号変換部から出力されたパケット信号の情報を全て含んでいる。すなわち、第２の信号に対して第２の信号変換部における処理の逆の処理を行うことで、第１の信号変換部から出力されたパケット信号を復元することができるものとする。
【００６０】
信号変換装置５００は、第１の信号変換部から出力されたパケット信号を出力するとともに、当該パケット信号は第２の信号に変換された形態でも出力される。パケット信号は、パケット信号のネットワークを経由して、本来の通信先へ伝送される。
【００６１】
一方、信号変換装置５００は、第２の信号により、パケット信号のネットワークを経由することなく他の通信先へパケット信号を転送することができる。従って、第２の信号の信号形式を信号変換装置５００と他の通信先との間のネットワークに適合した形式とすることで、第２の信号を他のネットワーク上の他の通信先へ転送することができる。
【００６２】
例えば、アナログ電話網を介して信号変換装置５００と接続されたパケットモニタリング装置を用いてパケットを監視したい場合には、第２の信号変換部としてモデムを用いればよい。モデムを用いてパケット信号を変調してアナログ信号としてアナログ電話網で伝送させ、パケットモニタリング装置でパケット信号を復調することで、遠隔にあるパケットモニタリング装置でパケット信号の監視が可能となる。
【００６３】
この際、パケットモニタリング装置を接続するためにパケット信号の本来の通信先との通信を切断する必要はない。また、信号変換装置５００とパケット信号の本来の通信先との間の機器にパケットモニタリング装置を接続するためのポートを設ける必要もない。
【００６４】
さらに、信号変換装置５００が出力するパケットを監視する際に信号変換装置５００とパケット信号の本来の通信先との間のネットワークに直接パケットモニタリング装置を接続する必要がない。従って、信号変換装置５００は、パケットを監視する際に、本来の通信先との間の通信経路上に他の機器が接続されることによるネットワークセキュリティの低下の懸念も生じない。
【００６５】
このように、第３の実施形態の信号変換装置は、回線を切断することなく、かつパケットネットワーク内部に機器を接続することなくパケットネットワークを伝送されるパケットを監視するシステムを実現することを可能とする。
【００６６】
以上、実施形態を参照して本発明を説明したが、本発明は上記実施形態に限定されものではない。本発明の構成や詳細には、本発明のスコープ内で当業者が理解し得る様々な変更をすることができる。
【符号の説明】
【００６７】
１、４００  ＶｏＩＰシステム
１００、１１０  アナログ交換機
１０１、１１１、１２１、３０１、４０９、４１０  音声ＩＰ化モジュール
１０２、１２２  ＮＩＣ
１０３、１１２  回線交換部
１０４、１０５  モデム
１２０  ディジタル交換機
１２３  ディジタル回線交換部
１２４、１２５  ＴＡ
１２６、１５１、３０３  パケット変換部
２１０、３１０  パケットモニタリング装置
２２０  コンソール装置
３００、３３０  端末
３０２  端末機能部
３０４  信号変換部
１６１、１６２、４０１、４０２  電話機
４０３、４０４  交換機
２００、３２０、４０５  ＶｏＩＰネットワーク
４０６、４０７  ＬＡＮ
４０８  ＷＡＮ
５００  信号変換装置
５０１  第１の信号変換部
５０２  第２の信号変換部
【図１】
0005743936.tif 000002
【図２】
0005743936.tif 000003
【図３】
0005743936.tif 000004
【図４】
0005743936.tif 000005
【図５】
0005743936.tif 000006
【図６】
0005743936.tif 000007